(57)【要約】【課題】無線信号が遮断された空間の内外において確実に測定データの伝達ができる無線センサ通信システムを実現する。【解決手段】無線信号が遮断された空間の内外に配置されたセンサに対応する端末をノードとして構成した無線センサ通信システムにおいて、前記空間の内側に配置されたノードと、前記空間の外側に配置されたノードとを接続するケーブルを有することを特徴とする無線センサ通信システム。【選択図】図１
2009005116.tif 000002
【特許請求の範囲】
【請求項１】
無線信号が遮断された空間の内外に配置されたセンサに対応する端末をノードとして構成した無線センサ通信システムにおいて、
前記空間の内側に配置されたノードと、前記空間の外側に配置されたノードとを接続するケーブルを有することを特徴とする無線センサ通信システム。
【請求項２】
前記空間の外側に配置されたノードを経由して前記空間の内外に配置された前記センサのデータを収集管理するセンサデータ管理部が設けられたことを特徴とする請求項１に記載の無線センサ通信システム。
【請求項３】
前記無線信号が遮断された空間は、倉庫であることを特徴とする請求項１または２に記載の無線センサ通信システム。
【請求項４】
前記センサは、前記倉庫に保管された穀物の保管温度を測定する穀温計であることを特徴とする請求項３に記載の無線センサ通信システム。
【発明の詳細な説明】
【技術分野】
【０００１】
本発明は、無線信号が遮断された空間の内外に配置されたセンサに対応する端末をノードとして構成した無線センサ通信システムに関するものである。
【背景技術】
【０００２】
図３は従来のセンサ通信システムの一例を示す構成図である。図３は米などの穀物を保管する倉庫を例として示したものである。倉庫内は複数の室に区切られており、それぞれの室で穀物（図示せず）が保管される。
【０００３】
各室にはそれぞれ穀温や倉庫内の温湿度などを測定するセンサが多数配置されている。
室１０１には室内の温湿度を測定する温湿度計１３１と、穀温を測定する穀温計１２１ａ〜１２１ｄが配置されている。同様に、室１０２には温湿度計１３２および穀温計１２２ａ〜１２２ｄが配置されている。室１０３には温湿度計１３３および穀温計１２３ａ〜１２３ｄが配置されている。
【０００４】
各センサにはそれぞれ無線通信端末が設けられ、これらの端末をノードとした無線ネットワークが構成されている。これにより、各温湿度計および各穀温計は個々の測定データを他のノードに伝達することが可能である。
【０００５】
倉庫の外には庫外の温湿度を測定する温湿度計１２４が設けられている。温湿度計１２４にも無線通信端末が設けられ、ゲートウェイ１０５と測定データの通信を行う。温湿度計１２４は倉庫内のノードとも通信を行い、倉庫内の各センサの測定データをゲートウェイ１０５に伝達する。このように、個々のセンサのデータは、無数のノードをホッピングしてゲートウェイ１０５に伝達される。ゲートウェイ１０５はＰＣ１０６と接続され、ＰＣ１０６で倉庫内外のすべてのセンサの測定データの収集と管理を行う。なお、ゲートウェイ１０５とＰＣ１０６でセンサデータ管理部１０７を構成する。
【０００６】
【特許文献１】特開２００５−１７９０２６号公報
【発明の開示】
【発明が解決しようとする課題】
【０００７】
しかしながら、建物や穀物のコンテナなどに金属製の扉や壁板があると、無線電波が遮断されてしまい、通信することができない。
【０００８】
図３において、壁１４１〜１４３が金属板であったような場合には、倉庫内の各センサは壁１４１〜１４３に遮られてノード１２４と通信することができない。そのため、倉庫内の各センサの測定データをＰＣ１０６で収集、管理することができない。
【０００９】
そこで、ゴムパッキンなどで建物やコンテナなどに大きな隙間を設け、電波を通しやすくするなど、大きな改造が必要とされていた。
【００１０】
本発明は、上記のような従来システムの欠点をなくし、無線信号が遮断された空間の内外において確実に測定データの伝達ができる無線センサ通信システムを実現することを目的としたものである。
【課題を解決するための手段】
【００１１】
上記のような目的を達成するために、本発明の請求項１では、無線信号が遮断された空間の内外に配置されたセンサに対応する端末をノードとして構成した無線センサ通信システムにおいて、
前記空間の内側に配置されたノードと、前記空間の外側に配置されたノードとを接続するケーブルを有することを特徴とする。
【００１２】
請求項２では、請求項１に記載の無線センサ通信システムにおいて、前記空間の外側に配置されたノードを経由して前記空間の内外に配置された前記センサのデータを収集管理するセンサデータ管理部が設けられたことを特徴とする。
【００１３】
請求項３では、請求項１または２に記載の無線センサ通信システムにおいて、前記無線信号が遮断された空間は、倉庫であることを特徴とする。
【００１４】
請求項４では、請求項３に記載の無線センサ通信システムにおいて、前記センサは、前記倉庫に保管された穀物の保管温度を測定する穀温計であることを特徴とする。
【発明の効果】
【００１５】
このように、無線信号が遮断された空間の内外のノードを有線接続することによって、無線信号が遮断された空間の内外において確実に測定データの伝達ができる無線センサ通信システムを実現することができる。
【００１６】
壁やコンテナ等にケーブルが通るだけの細い配線口を設けるだけで済むため、大きな改造を行う必要がなくなる。また、配線口をシールすれば、配線口を通しての空気の流通や熱伝達を回避することができる。
【００１７】
このような無線センサ通信システムは、穀物を貯蔵する倉庫において、穀温や倉庫内の温湿度を管理するシステムに適用することが可能である。
【発明を実施するための最良の形態】
【００１８】
以下、図面を用いて本発明の無線センサ通信システムを説明する。
【実施例１】
【００１９】
図１は本発明の無線センサ通信システムの一実施例を示す図である。本実施例では、米などの穀物を保管する倉庫を例として示したものである。
【００２０】
倉庫１の中には穀物（図示せず）が保管されており、穀温や倉庫内の温湿度などを測定するセンサが多数配置されている。
【００２１】
倉庫１には、室内の温湿度を測定する温湿度計３１と、穀温を測定する穀温計２１ａ〜２１ｃが配置されている。
【００２２】
温湿度計３１および穀温計２１ａ〜２１ｃにはそれぞれ無線通信端末が設けられ、これらの端末をノードとした無線ネットワークが構成されている。これにより、各センサは個々の測定データを他のノードに伝達することが可能である。
【００２３】
倉庫１の内外は、無線電波の遮断効果のある金属板の壁４（斜線部分）により隔てられている。倉庫１の外には庫外の温湿度を測定する温湿度計２１ｄが設けられている。温湿度計２１ｄにも無線通信端末が設けられ、ゲートウェイ５と測定データの通信を行う。
【００２４】
倉庫内のノード２１ａと倉庫外のノード２１ｄは、壁４を挟んで設置されている。壁４にはケーブル８を通すことができる配線穴４ａが設けられ、この配線穴４ａにケーブル８を配線してノード２１ａとノード２１ｄが有線接続される。
【００２５】
倉庫内の各センサの測定データは、ノード２１ａからケーブル８を経由して倉庫外のノード２１ｄに伝達される。ノード２１ｄは、ケーブル８により伝達された倉庫内の各センサの測定データをゲートウェイ５に伝達する。
【００２６】
ゲートウェイ５はＰＣ６と接続され、ＰＣ６で倉庫内外のすべてのセンサの測定データの収集と管理を行う。なお、ゲートウェイ５とＰＣ６でセンサデータ管理部７を構成する。
【００２７】
このように、無線電波が遮断されるノード間を有線接続することにより、金属製の扉や壁板があるような倉庫であっても、倉庫外部から倉庫内の各センサの測定データを無線で自動的に収集、管理することができるようになり、便利である。
【００２８】
なお、配線口４ａをシールすれば、配線口４ａを通して倉庫内外での空気の流通や熱伝達を回避することができる。
【実施例２】
【００２９】
図２は本発明の無線センサ通信システムの他の実施例を示す図である。本実施例では、複数の室からなる倉庫に本発明を適用した例を示したものである。
【００３０】
本実施例の倉庫は室１１〜室１４があり、各室は無線電波の遮断効果のある金属製の壁４１（斜線部分）により分離されている。
【００３１】
室１１にはセンサ２２ａほか複数のセンサが配置されている。同様に、室１２にはセンサ２２ｂほか複数のセンサが配置されている。室１３にはセンサ２２ｃほか複数のセンサが配置されている。室１４にはセンサ２２ｄ、２２ｅほか複数のセンサが配置されている。また、倉庫外にはセンサ２２ｆが配置されている。
【００３２】
各センサには無線通信端末が設けられ、これらの端末は無線ネットワークのノードとして機能する。
【００３３】
ノード２２ａ、２２ｂ、２２ｃ、２２ｄは、壁４１を挟んでそれぞれ寄り集まるように近接して配置されている。
【００３４】
ノード２２ａとノード２２ｄの間の壁４１には配線穴４１ａが設けられ、この配線穴４１ａに配線されたケーブル８１によってノード２２ａとノード２２ｄが有線接続される。
同様に、ノード２２ｂとノード２２ｄの間の壁４１には配線穴４１ｂが設けられ、この配線穴４１ｂに配線されたケーブル８２によってノード２２ｂとノード２２ｄが有線接続される。
ノード２２ｃとノード２２ｄの間の壁４１には配線穴４１ｃが設けられ、この配線穴４１ｃに配線されたケーブル８３によってノード２２ｃとノード２２ｄが有線接続される。
【００３５】
また、室１４内のノード２２ｅは、壁４１を挟んで倉庫外に配置されたノード２２ｆと近接して配置されている。
【００３６】
ノード２２ｅとノード２２ｆの間の壁４１には配線穴４１ｄが設けられ、この配線穴４１ｄに配線されたケーブル８４によってノード２２ｅとノード２２ｆが有線接続される。
【００３７】
室１１内の各センサの測定データは、ノード２２ａからケーブル８１を経由して室１４内のノード２２ｄへ伝達される。同様に、室１２、１３の各センサの測定データは、それぞれノード２２ｂ、２２ｃからケーブル８２、８３を経由してノード２２ｄへ伝達される。
【００３８】
伝達されてきた室１１〜１３内の各センサの測定データおよび室１４内の各センサの測定データは、ノード２２ｅからケーブル８４によりノード２２ｆに伝達される。
このように、すべての室のセンサの測定データは、倉庫外のノード２２ｆに伝達可能となる。
【００３９】
ノード２２ｆは、伝達されてきた倉庫内の各センサの測定データをゲートウェイ５に伝達する。
ゲートウェイ５はＰＣ６に接続され、ＰＣ６で倉庫内外のすべてのセンサの測定データの収集と管理を行う。なお、ゲートウェイ５とＰＣ６でセンサデータ管理部７を構成する。
【００４０】
このように、無線電波が遮断されるノード間を有線接続することにより、金属製の扉や壁板があるような倉庫であっても、倉庫外部から倉庫内の各センサの測定データを無線で自動的に収集、管理することができるようになり、便利である。
【００４１】
なお、配線口４１ａ〜４１ｃをシールすれば、各室間での空気の流通や熱伝達を回避することができる。また、配線口４１ｄをシールすれば、倉庫内外での空気の流通や熱伝達を回避することができる。
【００４２】
また、上記実施例１および本実施例において、有線接続するノードは壁を挟んで近接して配置したが、必ずしも近接させて配置する必要はない。
【００４３】
また、上記実施例１および本実施例は、本発明を倉庫内外のセンサシステムに適用した例を記載したが、本発明は他の様々な場面に広く適用可能と考えられる。
【図面の簡単な説明】
【００４４】
【図１】図１は本発明の無線センサ通信システムの一実施例を示す図。
【図２】図２は本発明の無線センサ通信システムの他の実施例を示す図。
【図３】図３は従来の無線センサ通信システムの一例を示す構成図。
【符号の説明】
【００４５】
１              倉庫
２１ａ〜２１ｄ  穀温計（ノード）
３１            温湿度計
４              壁
４ａ            配線穴
５              ゲートウェイ
６              ＰＣ
７              センサデータ管理部
８              ケーブル
１１〜１４      室
２２ａ〜２２ｆ  センサ（ノード）
４１            壁
４１ａ〜４１ｄ  配線穴
５              ゲートウェイ
６              ＰＣ
７              センサデータ管理部
８１〜８４      ケーブル
【図１】
2009005116.tif 000003
【図２】
2009005116.tif 000004
【図３】
2009005116.tif 000005